(57)【特許請求の範囲】
【請求項１】
座部（１０）と、背もたれ（２０）と、
肘掛け（３０）とを備え、肘掛け（３０）は、肘当て面（３２）を有する上側部品（３１）と、座面（１０ｓ）よりも下方へ延びる下側部品（３６）とで形成されたボックス形状の肘掛け（３０）であり、
上側部品（３１）と下側部品（３６）とはヒンジ（４１）によって連結され、上側部品（３１）は、前後方向に平行移動が可能かつ、下側部品（３６）の上にある通常位置（Ｐ１）から下側部品（３６）の外側方にある折畳位置（Ｐ３）にまでヒンジ（４１）により回動が可能に構成され、折畳位置（Ｐ３）は、通常位置（Ｐ１）の前方又は後方にある中間位置（Ｐ２）の外側方の下方にあり、
操作部（５５ａ）を備えた固定装置（４９）を備え、固定装置（４９）は、通常は前記平行移動及び前記回動を不能に拘束することで上側部品（３１）の通常位置（Ｐ１）への固定を行うことで通常固定状態にし、操作部（５５ａ）が操作されたときに、前記平行移動の拘束を解除することで前記固定を解除することで、上側部品（３１）が通常位置（Ｐ１）から中間位置（Ｐ２）にまで平行移動が可能な平行移動可能状態にし、上側部品（３１）が中間位置（Ｐ２）に配されたときに、前記回動の拘束を解除することで、上側部品（３１）が中間位置（Ｐ２）から折畳位置（Ｐ３）にまで回動が可能な回動可能状態にする構成である乗物用座席。
【請求項２】
操作部（５５ａ）は、背もたれ（２０）と肘掛け（３０）との間の位置であって、少なくとも背もたれ（２０）を最大限起立させた状態では、背もたれ（２０）の前面（２０ｓ）よりも後方に収まる位置に配置された請求項１記載の乗物用座席。
【請求項３】
肘掛け（３０）は、上側部品（３１）の通常固定状態での外側面の下端部に、上側部品（３１）と下側部品（３６）との分割箇所（Ｄ）を隠蔽する突条状の隠蔽部（３３）を備えた意匠形状をした請求項１又は２記載の乗物用座席。
【請求項４】
上側部品（３１）が折畳位置（Ｐ３）に配された状態では、上側部品（３１）、下側部品（３６）及びヒンジ（４１）のいずれも、座面（１０ｓ）の高さ以下に収まる請求項１〜３のいずれか一項に記載の乗物用座席。
【請求項５】
固定装置（４９）は、通常固定状態では操作部（５５ａ）が下がっており、操作部（５５ａ）が押し上げられたときに前記固定を解除する構成である請求項１〜４のいずれか一項に記載の乗物用座席。
【発明の詳細な説明】
【技術分野】
【０００１】
本発明は、航空機、鉄道車両、バス、船舶等の各種乗物に設置される乗物用座席に関し、より具体的には、肘掛けを備えた乗物用座席に関する。
【背景技術】
【０００２】
飛行機の通路は、乗客が乗降する際や、クルーが各座席へサービスを行う際などに用いられるが、基本的に乗客、クルーのいずれも着座状態が基本であるので、最低限の幅しか確保されていないのが通常である。一方、移動するのに車椅子を必要とする乗客もいるので、そのような乗客にも対応可能なように、一部の座席には車椅子からの乗降を容易にするための仕組みを設けておくことも必要である。
【０００３】
具体的には、車椅子で所定の座席側方あるいは前方に移動した乗客は、側方あるいは前方に位置取りを行い、車椅子から座席への平行移動による着座を行うが、特に側方からの着座動作においては座席の肘掛けが妨げとなる。そのため、車椅子対応として、肘掛けを着座の支障にならない位置に退避させる退避機能が、一部の座席には設けられている。その退避機能としては、通常は、肘掛けを上方へ跳ね上げる方法が多く採用されている。
【０００４】
一方、上等級の座席では、高級感のあるボックス形状の肘掛けが採用されることが多い。しかしながら、通常、ボックス形状の肘掛けは、重量及び体積が大きいので、上方に跳ね上げる構成にすることは難しい。よって、車椅子を必要とする乗客が座席の前方からの着座を行えるように、シートピッチを多めに取る必要がある。そのため、例えば国内線の機体のようにシートピッチの狭い機体には、ボックス形状の肘掛けの適用が難しい。よって、ボックス形状の肘掛けでも採用できる退避機構の技術が必要である。そして、実際にそのような技術については、次の従来例１〜３に示すものがある。
【０００５】
［従来例１］
図９に示す従来例１（特許文献１）の乗物用座席７０は、ボックス形状の肘掛け７３をその後端部にある回転軸７４を中心に跳ね上げることで、車椅子を必要とする乗客の着座を容易にするものである。詳しくは、通常は、図９ａに示すように、座面７１ｓの下にあるロック機構によって、肘掛け７３が通常位置に固定されているが、肘掛け７３の前端部にある操作ボタン７５によりロックが外れ、跳ね上げ動作が可能となる。そして、図９ｂに示すように、肘掛け７３を所定の角度まで回動させることにより、肘掛け７３の自重によってその位置を保持することになる。その肘掛け７３には、内側から持ちあげるための窪み（図示略）が設けられており、乗客やクルーによる回動操作が可能である。
【０００６】
［従来例２］
図１０に示す従来例２（特許文献２）の乗物用座席８０は、ボックス形状の肘掛け８３を下方向に平行移動させることで、車椅子を必要とする乗客の着座を容易にするものである。詳しくは、肘掛け８３の鉛直方向への平行移動を行えるよう、座部８１の側部にガイドレール８４，８４が備えられ、そこに肘掛け８３が配置されている。そして、車椅子を必要とする乗客の乗降時には、図１０ｂに示すように、肘掛け８３はガイドレール８４，８４に沿って下方向に押し下げられ、座面８１ｓと肘掛け８３の上面８３ｓとが等しい高さとなることから横方向からの移乗が容易になる。
【０００７】
［従来例３］
図１１に示す従来例３（特許文献３）の乗物用座席９０は、ボックス形状の肘掛け９３をその後端部にある回転軸９４を中心に、前部が斜下方向に下がる方向に回転移動させることで、車椅子を必要とする乗客の着座を容易にするものである。詳しくは、ボックス形状の肘掛け９３は、背もたれ９２の近傍に回転軸９４を持っている。そして、ロックを解除してから、図１１ｂに示すように、肘掛け９３全体を回転軸９４を中心に、前部が斜下方向に下がる方向に回転移動させることにより、乗物用座席９０の側方からの乗降スペースが拡大されて、着座が容易な状態となる。
【０００８】
【特許文献１】特開２０１２−２４９６８３号公報
【特許文献２】特開平６−１５６３９３号公報（特許第２６８９０５９号）
【特許文献３】特開平６−１５６１２９号公報（特許第２７４５１８０号）
【発明の概要】
【発明が解決しようとする課題】
【０００９】
しかしながら、従来例１〜３では、次に示す理由から、肘掛けの設計の自由度が低く、そのため、肘掛けにあまり高級感を持たせることができない。
【００１０】
すなわち、まず第１に、従来例１〜３では、ボックス形状の肘掛け７３，８３，９３全体を移動（回転又は上下方向に平行移動）させるため、該移動させるときに加えるべき負荷が大きくなってしまう。そのため、肘掛け７３，８３，９３を移動させる際の労力や、安全性を考慮すると、肘掛け７３，８３，９３全体を軽く仕上げる必要がある。また更に、従来例１，３では、肘掛け７３，９３の重量増大に伴い回転軸７４，９４の補強が必要となることからも、肘掛け７３，９３全体を軽く作る方が適切である。そして、肘掛け７３，８３，９３の軽量化を考えると、適用可能な材質も樹脂にほぼ限定され、質感についても制約が顕在化してくる。よって、重量感及び材質（質感）の点で、肘掛けにあまり高級感を持たせることができない。
【００１１】
また、第２に、従来例２，３では、肘掛け８３，９３を下方又は斜め下方に押し下げるため、肘掛け８３，９３の下方にスペースが必要となる。そのため、肘掛け８３，９３を、床まで又は床付近まで延びる意匠形状にすることができない。そのため、下方向への長さの点でも、肘掛けにあまり高級感を持たせることができない。
【００１２】
そこで、ボックス形状の肘掛けを、着座の支障にならない位置に退避可能にしつつも、設計の自由度を高くして、必要に応じて高級感を持たせられるようにすることを目的とする。
【課題を解決するための手段】
【００１３】
上記の目的を達成するため、本発明の乗物用座席は、次のように構成されている。すなわち、本発明の乗物用座席は、座部と、背もたれと、肘掛けとを備え、肘掛けは、肘当て面を有する上側部品と、座面よりも下方へ延びる下側部品とで形成されたボックス形状の肘掛けであり、
上側部品と下側部品とはヒンジによって連結され、上側部品は、前後方向に平行移動が可能かつ、下側部品の上にある通常位置から下側部品の外側方にある折畳位置にまでヒンジにより回動が可能に構成され、折畳位置は、通常位置の前方又は後方にある中間位置の外側方の下方にあり、
操作部を備えた固定装置を備え、固定装置は、通常は前記平行移動及び前記回動を不能に拘束することで上側部品の通常位置への固定を行うことで通常固定状態にし、操作部が操作されたときに、前記平行移動の拘束を解除することで前記固定を解除することで、上側部品が通常位置から中間位置にまで平行移動が可能な平行移動可能状態にし、上側部品が中間位置に配されたときに、前記回動の拘束を解除することで、上側部品が中間位置から折畳位置にまで回動が可能な回動可能状態にする構成である。
【００１４】
但し、ここでの「ボックス形状」は、外からみた形状を示すものであり、内部に中空があることを示すものではない。なお、該中空は、あってもよいし、なくてもよい。
【発明の効果】
【００１６】
本発明によれば、ボックス形状の肘掛けの上側部品を折畳位置に移動させることで、肘掛けを着座の支障にならない位置に退避させることができる。そのため、車椅子を必要とする乗客が、側方から乗物用座席に移動し易い。
【００１７】
そして、このとき、上側部品のみを折畳位置に移動させるため、ボックス形状の肘掛け全体を移動（回転又は上下方向に平行移動）させる従来例１〜３に比べて、移動させる際に加えるべき負荷が小さくなる。そのため、ボックス形状の肘掛け全体を従来例１〜３よりも重く設計できる。よって、重量面での設計の自由度が上がる。また、それにより、重い材質でも適用可能になるので、材質面での自由度も上がる。よって、例えば、ボックス形状の肘掛けを、重量感のある意匠形状や高級感のある素材（質感）にすることができ、それにより、肘掛けに高級感を持たせることができる。
【００１８】
また、上側部品を、下側部品の外側方にある折畳位置に移動させるため、ボックス形状の肘掛けを下方又は斜め下方に移動させる従来例２，３とは違い、肘掛けの下方にスペースを要しない。そのため、肘掛けの下方向への長さの点でも、設計の自由度が上がる。よって、例えば、肘掛けを、床まで又は床付近まで延びる意匠形状にすることができ、それにより、肘掛けに高級感を持たせることができる。
さらに、上側部品は、通常位置から中間位置にまで平行移動してからでないと、折畳位置には回動しないため、乗客が不用意に上側部品を折畳位置に回動させてしまうといった誤操作が起き難い。
【図面の簡単な説明】
【００１９】
【図１】実施例の乗物用座席を示す斜視図である。
【図２】実施例の乗物用座席の肘掛けを示す斜視図である。
【図３】実施例の乗物用座席において、ａは通常固定状態で背もたれが起立した状態を示す斜視図、ｂは通常固定状態で背もたれが倒された状態を示す斜視図である。
【図４】実施例の乗物用座席の肘掛けにおいて、ｃは上側部品が中間位置に配された状態を示す斜視図、ｄは上側部品が折畳位置に配された状態を示す斜視図である。
【図５】実施例の乗物用座席の肘掛けにおいて、ｂは通常固定状態を示す平面図、ｃは上側部品が中間位置に配された状態を示す平面図、ｄは上側部品が折畳位置に配された状態を示す平面図である。
【図６】実施例の乗物用座席の固定装置の固定部において、ｂは通常固定状態を示す側面断面図（図５に示すVIｂ−VIｂ断面の図）、ｃは上側部品が中間位置に配された状態を示す側面断面図（図５に示すVIｃ−VIｃ断面の図）である。
【図７】実施例の乗物用座席の肘掛けにおいて、ｃは上側部品が中間位置に配された状態を示す正面断面図（図５に示すVIIｃ−VIIｃ断面の図）、ｄは上側部品が折畳位置に配された状態を示す正面断面図（図５に示すVIIｄ−VIIｄ断面の図）である。
【図８】実施例の乗物用座席に、車椅子を必要とする乗客が着座する際の様子を示す正面図である。
【図９】従来例１の乗物用座席において、ａは通常の状態を示す斜視図、ｂは肘掛けを跳ね上げた状態を示す斜視図である。
【図１０】従来例２の乗物用座席において、ａは通常の状態を示す斜視図、ｂは肘掛けを下方に平行移動させた状態を示す斜視図である。
【図１１】従来例３の乗物用座席において、ａは通常の状態を示す側面図、ｂは肘掛けを斜下方向に回転させた状態を示す側面図である。
【発明を実施するための形態】
【００２０】
操作部の位置は、特に限定されないが、操作部によって乗物用座席の見栄えが悪くなることがない点で、次の態様であることが好ましい。すなわち、操作部は、背もたれと肘掛けとの間の位置であって、少なくとも背もたれを最大限起立させた状態では、背もたれの前面よりも後方に収まる位置に配置された態様である。
【００２１】
肘掛けの意匠形状は、特に限定されないが、分割箇所によって肘掛けの見栄えが悪くなることがない点で、次の態様であることが好ましい。すなわち、肘掛けは、上側部品の通常固定状態での外側面の下端部に、上側部品と下側部品との分割箇所を隠蔽する突条状の隠蔽部を備えた意匠形状をした態様である。
【００２２】
上側部品が折畳位置に配された状態での肘掛けの高さは、特に限定されないが、車椅子を必要とする乗客が乗降し易い点で、次の態様であることが好ましい。すなわち、上側部品が折畳位置に配された状態では、上側部品、下側部品及びヒンジのいずれも、座面の高さ以下に収まる態様である。
【００２３】
固定装置の操作部は、特に限定されないが、次のｃ，ｄの構成を例示する。但し、乗客が不用意に操作部を操作して前記固定を解除してしまうといった誤操作が起き難くなる点で、ｄの態様であることが好ましい。
［ｃ］固定装置は、通常固定状態では操作部が上がっており、操作部が押し下げられたときに前記固定を解除する構成である態様。
［ｄ］固定装置は、通常固定状態では操作部が下がっており、操作部が押し上げられたときに前記固定を解除する構成である態様。
【実施例】
【００２４】
図１〜図８に示す本実施例の乗物用座席１は、航空機に設置される座席であって、座部１０と、背もたれ２０と、肘掛け３０と、固定装置４９とを含み構成されている。なお、この乗物用座席１は、航空機以外の各種乗物（鉄道車両、バス、船舶等）に設置される座席として実施することもできる。
【００２５】
［座部１０及び背もたれ２０］
座部１０は、通常の座部であって、上面に座面１０ｓを備えている。また、背もたれ２０も、通常の背もたれであって、傾動レバー（図示略）を操作することで、傾動可能な状態になる構成である。
【００２６】
［肘掛け３０］
肘掛け３０は、肘当て面３２を有する上側部品３１と、座面１０ｓよりも下方へ延びる下側部品３６とで形成されたボックス形状をしている。そして、上側部品３１と下側部品３６とはヒンジ４１によって連結されている。そのため、上側部品３１は、下側部品３６の上にある通常位置Ｐ１から下側部品３６の外側方にある折畳位置Ｐ３にまでヒンジ４１により可動である。具体的には、上側部品３１は、前後方向に平行移動が可能かつ側方にヒンジ４１により回動が可能に構成されている。そして、折畳位置Ｐ３は、通常位置Ｐ１の前方にある中間位置Ｐ２の外側方の下方にある。
【００２７】
詳しくは、上側部品３１の分割面３１ｓの中央部には、上側中央凹部３４が凹設されている。その上側中央凹部３４内には、前後方向に延びる上側軸３５が設置されている。また、下側部品３６の分割面３６ｓの中央部には、下側中央凹部３７が凹設されている。その下側中央凹部３７内には、前後方向に延びる下側軸３８が設置されている。そして、上側軸３５と下側軸３８とが、ヒンジ４１によって連結されている。
【００２８】
そのヒンジ４１は、第一リンク４２と、第二リンク４４とを含み構成されている。第一リンク４２は、前面視でＬ字形をした板状のリンクであって、その一端部が下側軸３８に前後方向にスライド可能かつ周方向に回動可能に取り付けられている。また、第二リンク４４は、板状のリンクであって、その一端部が第一リンク４２の他端部に連結軸４３を介して回動可能に連結されている。その第二リンク４４の他端部は、上側軸３５に回動可能に取り付けられている。そして、このヒンジ４１は、通常固定状態では、上側中央凹部３４と下側中央凹部３７とによって形成される空間内に収納される。
【００２９】
この肘掛け３０は、上側部品３１の通常固定状態での外側面の下端部に、上側部品３１と下側部品３６との分割箇所Ｄを隠蔽する突条状の隠蔽部３３を備えた意匠形状をしている。そして、この肘掛け３０は、上側部品３１が折畳位置Ｐ３に配された状態では、上側部品３１、下側部品３６及びヒンジ４１のいずれも、座面１０ｓの高さ以下に収まる。
【００３０】
［固定装置４９］
固定装置４９は、操作部５５ａを備えている。そして、通常は上側部品３１の通常位置Ｐ１への固定を行うことで通常固定状態にする。具体的には、前記平行移動（上側部品３１の前後方向への平行移動）及び前記回動（上側部品３１の側方への回動）を不能に拘束することで前記固定を行う。
【００３１】
そして、操作部５５ａが操作されたときに、前記固定を解除することで上側部品３１を可動状態にする。具体的には、図３ａに示すように背もたれ２０が起立した状態、又は図３ｂに示すように背もたれ２０が倒された状態のいずれかの状態において、乗客やクルー等によって操作部５５ａが押し上げられる（操作される）と、固定装置４９は、前記平行移動の拘束を解除することで前記固定を解除する。そのことで、前記可動状態の一つである平行移動可能状態にする。その平行移動可能状態は、上側部品３１が通常位置Ｐ１から中間位置Ｐ２にまで平行移動が可能な状態である。そして更に、乗客やクルー等によって、図４ｃに示すように、上側部品３１が中間位置Ｐ２に配されると、固定装置４９は、前記回動の拘束を解除することで、前記可動状態の別の一つの状態である回動可能状態にする。その回動可能状態は、上側部品３１が中間位置Ｐ２から折畳位置Ｐ３にまで回動が可能な状態である。そして更に、乗客やクルー等によって、図４ｄに示すように、上側部品３１が折畳位置Ｐ３に配されると、肘掛け３０の高さが低くなる。
【００３２】
詳しくは、この固定装置４９は、前記平行移動を拘束する平行移動拘束部５０と、前記回動を拘束する回動拘束部６０とから構成されている。
【００３３】
平行移動拘束部５０は、固定用突起５１と、固定部５２とから構成されている。固定用突起５１は、上側部品３１の通常固定状態での内側面（背もたれ２０側の側面）の後部から内側方（背もたれ２０側方向）に突出した突起である。また、固定部５２は、背もたれ２０と肘掛け３０との間の位置であって、少なくとも背もたれ２０を最大限起立させた状態では、背もたれ２０の前面２０ｓよりも後方に収まる位置に配置されている。この固定部５２は、上下方向及び前後方向に延びる基板５３と、基板５３の内部空間５３ａに設置された操作機構５４とから構成されている。そして、基板５３の下部は、下側部品３６の上部に固定されている。また、基板５３の上部には、その前端から後方に凹む固定用凹部５３ｂが形成されている。そして、通常固定状態では、固定用凹部５３ｂの内側に固定用突起５１が配される。
【００３４】
操作機構５４は、操作レバー５５と、第一バネ５６と、第二バネ５７と、ラッチ５８とを含み構成されている。操作レバー５５は、その長さ方向中間部が基板５３の内部空間５３ａにて支持軸５５ｅによって回動可能に支持されている。その操作レバー５５の一端部は、内部空間５３ａから基板５３の前方に突出している。その一端部が、操作部５５ａを構成している。その操作部５５ａは、第一バネ５６の付勢力によって通常固定状態では下がっており、押し上げられたときに前記固定を解除する構成になっている。
【００３５】
ラッチ５８は、通常固定状態のときに、固定用凹部５３ｂの内側にある固定用突起５１を前方に移動不能に拘束するための部材である。このラッチ５８は、操作レバー５５の他端部５５ｆの上方に設置されており、ラッチ５８と該他端部５５ｆとの間には、第二バネ５７が介装されている。そして、図６ｂに示すように、操作部５５ａが下がり他端部５５ｆが上がっている状態では、ラッチ５８は、固定用凹部５３ｂの前端の開口部を塞ぐ位置に配される。その一方、図６ｃに示すように、操作部５５ａが押し上げられることで他端部５５ｆが下がった状態では、自重で第二バネ５７と共に沈降して、固定用凹部５３ｂの前端の開口部を塞がない位置に配される。そのラッチ５８の上部の前端には、下方から上方に行くに従い前方から後方に後退する傾斜部５８ａが設けられている。そのため、上側部品３１を通常位置Ｐ１に戻す際には、操作部５５ａを押し上げなくても、上側部品３１を中間位置Ｐ２から後方に平行移動させるだけで、傾斜部５８ａと第二バネ５７との協働でラッチ５８が自動的に下方に押し下げられて、上側部品３１が通常位置Ｐ１に平行移動可能になっている。
【００３６】
回動拘束部６０は、上側部品３１が通常位置Ｐ１に配された状態では、前記回動を不能に拘束し、上側部品３１が中間位置Ｐ２に配された状態では、前記回動の拘束を解除する構成になっている。詳しくは、この回動拘束部６０は、上側部品３１に突設された拘束用突起６４，６４と、下側部品３６に凹設された拘束溝６７，６７とから構成されている。
【００３７】
拘束用突起６４，６４は、上側部品３１の分割面３１ｓから突出した突起であり、具体的には、上側中央凹部３４の前後両側に１本ずつ突設されている。そして、各拘束用突起６４の先端部には、その両側方に突出した突起側返し部６５，６５が形成されている。
【００３８】
拘束溝６７は、下側部品３６の分割面３６ｓに凹設された溝であり、具体的には、下側中央凹部３７の前後両側に１本ずつ凹設されている。そして、各拘束溝６７は、拘束用突起６４よりも前後方向に長い。そして、各拘束溝６７の上端の開口部の後部の両内側面には、内方に突出した溝側返し部６８，６８が設けられている。そして、上側部品３１が通常位置Ｐ１に配された状態では、突起側返し部６５，６５が溝側返し部６８，６８に当接することで、前記回動を拘束する。その一方、上側部品３１が通常位置Ｐ１から中間位置Ｐ２にまで平行移動したときには、突起側返し部６５，６５が溝側返し部６８，６８に当接しなくなることで、前記回動の拘束を解除する。
【００３９】
本実施例によれば、次のＡ〜Ｉの効果を得ることができる。
［Ａ］上側部品３１を折畳位置Ｐ３に移動させることで、肘掛け３０を低くして着座の支障にならない位置に退避させることができる。そのため、図８に示すように、車椅子を必要とする乗客Ｈが、乗物用座席１の側方からその座部１０の上に移動し易い。
【００４０】
［Ｂ］上側部品３１のみを折畳位置Ｐ３に移動させるため、ボックス形状の肘掛け３０全体を移動させる場合に比べて、移動させる際に加えるべき負荷が小さくなる。そのため、ボックス形状の肘掛け３０全体を重く設計できるようになる。よって、重量面での設計の自由度が上がる。また、それにより、重い材質でも適用可能になるので、材質面での設計の自由度も上がる。よって、ボックス形状の肘掛け３０を、重量感のある意匠形状や高級感のある材質（質感）にすることができ、そうすることで、肘掛け３０に高級感を持たせることができる。
【００４１】
［Ｃ］上側部品３１を、下側部品３６の外側方にある折畳位置Ｐ３に移動させるため、肘掛け３０を下方に移動させる場合とは違い、肘掛け３０の下方にスペースを要しない。そのため、肘掛け３０の下方向への長さの点でも、設計の自由度が上がる。よって、肘掛け３０を、床まで又は床付近まで延びる意匠形状にすることができ、そうすることで、肘掛け３０に高級感を持たせることができる。
【００４２】
［Ｄ］上側部品３１全体を折畳位置Ｐ３に移動させるため、肘掛け３０の前端から後端までの全体が低くなる。そのため、乗物用座席１の側面の前後方向のすべてが乗降時に使える。
【００４３】
［Ｅ］少なくとも背もたれ２０を最大限起立させた状態では、操作部５５ａは、背もたれ２０の前面２０ｓよりも後方に収まるため、操作部５５ａは背もたれ２０に隠れて見え難い。そのため、意匠的に見栄えが良い。
【００４４】
［Ｆ］肘掛け３０は、上側部品３１の下端部に突条状の隠蔽部３３を備えた意匠形状をしているため、通常固定状態では、分割箇所Ｄの斜め上方にくる乗客の目線からは、分割箇所Ｄが隠蔽部３３に隠れて見え難い。そのため、意匠的に見栄えがよい。
【００４５】
［Ｇ］上側部品３１が折畳位置Ｐ３に配された状態では、上側部品３１、下側部品３６及びヒンジ４１のいずれも、座面１０ｓの高さ以下に収まるため、それらのいずれの部品３１，３６，４１も乗降の邪魔にならない。
【００４６】
［Ｈ］固定装置４９は、操作部５５ａが押し上げられたときに前記固定を解除するので、押し下げられたときに前記固定を解除する場合に比べて、乗客が不用意に前記固定を解除してしまうといった誤操作が起き難い。
【００４７】
［Ｉ］上側部品３１は、通常位置Ｐ１からその前方にある中間位置Ｐ２にまで平行移動してからでないと、折畳位置Ｐ３には回動しないため、乗客が不用意に上側部品３１を折畳位置Ｐ３に回動させてしまうといった誤操作が起き難い。
【００４８】
なお、本発明は上記実施例に限定されるものではなく、発明の趣旨を逸脱しない範囲で各部の構成や形状を任意に変更して実施することもできる。
【符号の説明】
【００４９】
１    乗物用座席
１０    座席
１０ｓ  座面
２０    背もたれ
２０ｓ  前面
３０    肘掛け
３１    上側部品
３２    肘当て面
３３    隠蔽部
３６    下側部品
４１    ヒンジ
４９    固定装置
５５ａ  操作部
Ｐ１    通常位置
Ｐ２    中間位置
Ｐ３    折畳位置
Ｄ      分割箇所
【図１】
0006421020.tif 000002
【図２】
0006421020.tif 000003
【図３】
0006421020.tif 000004
【図４】
0006421020.tif 000005
【図５】
0006421020.tif 000006
【図６】
0006421020.tif 000007
【図７】
0006421020.tif 000008
【図８】
0006421020.tif 000009
【図９】
0006421020.tif 000010
【図１０】
0006421020.tif 000011
【図１１】
0006421020.tif 000012